(57)【要約】【課題】  保守対象物の保守用情報を記憶するメモリの紛失と保守対象物の筐体内部への流体の侵入とを防止すること、また保守対象物による電波障害対策を講じること、更に落雷対策が可能となる。【解決手段】  メモリ素子としてＲＦタグ２０のＩＣメモリ２５を制御機器１０の筐体に備えることでその紛失をなくし、ＲＦタグ２０のアンテナ２１を利用することで筐体を密閉できる。アンテナ２１が筐体外部と無線電波を授受できるように筐体外部に貼り付けられ、内部を密封する筐体と絶縁された導線で内部と接続さる。または、金属性筐体の一部を蓋状態に形成し金属性蓋を外して保守用情報の授受を行うことでＶＣＣＩ規格に対処する。更に、制御機器１０側にＲＥタグ対応１４のアンテナ１６を設け、ＲＥタグ２０を制御機器１０の制御回路と電気的に絶縁状態とすることができる。【選択図】  図１
2005215788.tif 000002
【特許請求の範囲】
【請求項１】
保守対象物となる制御機器の保守用情報を前記制御機器で記憶すると共に、所定の時期に前記保守用情報を外部に取得する方法であって、第１のアンテナを有しかつ前記保守用情報を書き込み記憶するＲＦ（無線）タグを備え、前記制御機器の外部から読取り器を用いて、所定の時期に、無線電波により、前記ＲＦタグの第１のアンテナを介して当該ＲＦタグに記憶された前記保守用情報を読み取り取得することを特徴とする保守用情報の取得方法。
【請求項２】
請求項１に記載の保守用情報の取得方法において、前記制御機器が第２のアンテナを備えて前記保守用情報を、無線電波により当該第２のアンテナを介して前記第１のアンテナへ送り、前記ＲＦタグが当該第１のアンテナから受ける前記保守用情報を書き込み記憶することを特徴とする保守用情報の取得方法。
【請求項３】
請求項２に記載の保守用情報の取得方法において、前記第２のアンテナを介して前記第１のアンテナへ無線電波により送る前記保守用情報を、制御機器外部の前記読取り器を用い傍受して取得することを特徴とする保守用情報の取得方法。
【請求項４】
保守対象物となる制御機器の保守用情報を前記制御機器の内部で記憶すると共に所定の時期に記憶された前記保守用情報を前記制御機器の外部の読取り器により取得するシステムであって、
前記制御機器は、第１のアンテナとＩＣメモリとを内蔵し前記第１のアンテナを介して前記ＩＣメモリにデータの書込み読取りが可能なＲＦ（無線）タグと、第２のアンテナと、前記保守用情報を記憶する履歴データメモリと、当該履歴データメモリに記憶されている前記保守用情報を所定の時期に前記履歴データメモリから読み取って前記第２のアンテナから前記第１のアンテナに無線電波で送出するＲＦタグ対応送受信部とを備え、
前記ＲＦタグは、前記第１のアンテナを介して前記第２のアンテナから書込み要求を受けた際、受けた無線電波により誘導電力を発生して駆動し、次いで受ける前記保守用情報を前記ＩＣメモリに書き込み記憶する一方、前記読取り器から読取りの要求を受けた際、受けた無線電波により誘導電力を発生して駆動し、前記ＩＣメモリに記憶されている保守用情報を読み取って前記第１のアンテナを介して前記読取り器に無線電波により送出する送受信制御部を備え、かつ、
前記読取り器は、第３のアンテナと、当該第３のアンテナを用い、無線電波により読取り要求を送出して前記第１のアンテナから前記保守用情報を取得する送受信制御部とを備える
ことを特徴とする保守用情報の取得システム。
【請求項５】
請求項４に記載の保守用情報の取得システムにおいて、前記制御機器の筐体が無線電波遮蔽構造の場合、前記無線電波遮蔽構造の筐体は、少なくとも前記第１のアンテナ部分で無線電波の授受を可能とする着脱可能な無線電波遮蔽構造蓋を有することを特徴とする保守用情報の取得システム。
【請求項６】
請求項４に記載の保守用情報の取得システムにおいて、前記制御機器の筐体が無線電波遮蔽構造の場合、前記ＲＦタグは、前記第１のアンテナを前記無線電波遮蔽構造の筐体外面に備え、前記第２のアンテナとデータを送受する第４のアンテナを前記無線電波遮蔽構造の筐体内部に更に備えることを特徴とする保守用情報の取得システム。
【請求項７】
請求項４に記載の保守用情報の取得システムにおいて、前記制御機器の第２のアンテナと前記ＲＦタグとを前記筐体の外面に備えることを特徴とする保守用情報の取得システム。
【請求項８】
請求項４に記載の保守用情報の取得システムにおいて、前記読取り器は、前記第３のアンテナを用いて前記第２のアンテナから第１のアンテナへ送出される無線電波を傍受して前記保守用情報を取得する送受信制御部を備えることを特徴とする保守用情報の取得システム。
【請求項９】
保守対象物となる制御機器の保守用情報を前記制御機器の内部で記憶すると共に所定の時期に記憶された前記保守用情報を前記制御機器の外部の読取り器により取得するシステムであって、
前記制御機器は、第１のアンテナとＩＣメモリとを内蔵し前記第１のアンテナを介して前記ＩＣメモリにデータの書込み読取りが可能なＲＦ（無線）タグと、前記保守用情報を記憶する履歴データメモリと、当該履歴データメモリに記憶されている前記保守用情報を所定の時期に前記履歴データメモリから読み取って前記ＲＦタグの前記ＩＣメモリに書き込む書込み部とを備え、
前記ＲＦタグは、前記第１のアンテナを介して前記読取り器から読取りの要求を受けた際、受けた無線電波により誘導電力を発生して駆動し、前記ＩＣメモリに記憶されている保守用情報を読み取って前記第１のアンテナを介して前記読取り器に無線電波により送出する送受信制御部を備え、かつ、
前記読取り器は、第３のアンテナと、当該第３のアンテナを用い、無線電波により読取り要求を送出して前記第１のアンテナから前記保守用情報を取得する送受信制御部とを備える
ことを特徴とする保守用情報の取得システム。
【請求項１０】
請求項９に記載の保守用情報の取得システムにおいて、前記第１のアンテナが前記制御機器の筐体外面に装備されることを特徴とする保守用情報の取得システム。
【発明の詳細な説明】
【技術分野】
【０００１】
本発明は、コンピュータ、コンピュータユニットを含む装置およびシステムなど、保守対象物となる制御機器における内部状態を監視しその確認が容易な保守用情報の取得方法およびその構造に関するものである。すなわち、運用中の制御機器において、必要とする保守用情報に関する取得データに応じて、プログラムの実行状態を採取して記憶手段に記憶しておき、必要に応じて記憶データの保守用情報を取出して確認するものである。特に、保守対象機器の構造上の制約、故障の状態、設置環境などに左右されずに、保守員等が保守対象機器内部の状況を容易に判断できる保守用情報の取得方法およびその取得システムに関するものである。
【背景技術】
【０００２】
従来の保守用情報の取得方法およびその取得システムは、マイクロコンピュータ制御機器の監視システムにおけるＩＣ（集積回路）カード（特許文献１参照）または電気制御システムの監視診断装置におけるカードメモリ（特許文献２参照）として実用に供されている。
【０００３】
例えば、図８に示されるコンピュータのような制御機器１１０では、プログラムを駆使して所定の機能を実行処理する機能実行処理部１１１が、機能を実行処理する際に、その履歴データすなわちログデータを順次、履歴データメモリ１１２に記録する。この処理状態は監視されており、制御機器１１０が故障の場合、警報表示部１１３が可視可聴の警報を発して使用者または保守員に通知する。
【０００４】
この場合、制御機器１１０が稼動できて、履歴データメモリ１１２に記録されているログデータが読み出しできればよいが、電源断、または機能実行処理部１１１の故障により読み出しできない場合が想定される。
【０００５】
このような問題を解決するため、図８に示されるシステムでは、ＩＣメモリを内蔵するＩＣカード１００を用いている。すなわち、履歴データメモリ１１２に記録されたログデータをＩＣカード１００へ書き込み、及びＩＣカード１００のメモリ情報を読み出して履歴データメモリ１１２に書き込む読取り書込み部（以後、Ｒ／Ｗ部と略称する）１１４、並びに、挿入されるＩＣカード１００を装着してＲ／Ｗ部１１４と電気的に接続するＩＣカード装着部１１５を、制御機器１１０に更に備えている。Ｒ／Ｗ部１１４は、例えば履歴データメモリ１１２にデータが記録される都度、同一データをＩＣカード装着部１１５に装着されているＩＣカード１００に書込みしている。
【０００６】
このようなＩＣカードによる保守用情報の取得方法およびその取得システムは実用上有効ではあった。しかし、情報を得るためにＩＣカードを装着する必要がある。すなわち、プログラムの実行データのような履歴データはある一定の期間またはデータ量で、上書きなどによる処置がＩＣカードの記憶容量を節約することが可能であるが、運用状況の監視のためには、ＩＣカードを制御機器から取り出す必要がある。従って、ＩＣカードの差し替えを忘れると、上述したような方法またはシステムでは、保守用情報を失う可能性があるという欠点があった。
【０００７】
制御機器の故障の際に運転状況を把握するために常時監視する保守用情報の取得に関して、この欠点は大きな障害である。
【０００８】
この改善策として、ＩＣカードの代わりにＲＦ（無線：Ｒａｄｉｏ  Ｆｒｅｑｕｅｎｃｙ）タグを用いる方法（特許文献３，４参照）がある。
【０００９】
ＲＦタグは、例えば物品に取り付けて外部からの無線電波により非接触でその物品の識別が可能となるＲＦ−ＩＤ（無線電波識別）機能を有している。
【００１０】
例えば図９に示されるＲＦタグ２０は保守の対象商品２１０に取り付けられ、内部にアンテナ２１とＩＣチップ２２とを有している。ＩＣチップ２２にはアンテナ２１と接続する送受信部２３、制御部２４、およびメモリ２５を含む。ＲＦタグ２０に対応してメモリ２５にデータを書き込み、またはメモリ２５に書き込まれたデータを読み取るための読取り書込み器３０が用意される。
【００１１】
このような構成で、アンテナ２１は、近づいた読取り書込み器３０から無線電波を受けて誘導電力を発生し、この誘導電力によりＩＣチップ２２が駆動され、読取り書込み器３０の読取り要求に対して、送受信部２３が制御部２４の制御によりメモリ２５に記憶されたデータを送信する。また読取り書込み器３０の書込み要求に対して、送受信部２３が制御部２４の制御により受信したデータをメモリ２５に書込みする。
【００１２】
特許文献３では、ＲＦタグを用いた情報取得支援方法が開示されており、ＲＦタグは情報取得の対象物となる部品に搭載され、ＲＦタグのメモリに対する読取り書込みは携帯端末により行なっている。この方法では、ＲＦタグを取り付けた対象物に関する専門家の知識を含む必要な情報が対象物のある現場で容易に取得できる。
【００１３】
また、特許文献４では、上述したＩＣカードで生じたメモリ情報の紛失を防止し、タグを製品に取り付けたまま、タグの情報を読み出すことを目的として、タグに内蔵されるＩＣチップに、製品の固有情報およびこの製品の購入者に固有の情報が書き込まれている。
【００１４】
特許文献３，４の両者とも、ＲＦタグへの書込みは外部からのライター（書込み器）であり、ＲＦタグからの読取りは外部のリーダー（読取り器）である。読み取られたデータは別に設けられているコンピュータに送られて、ＲＦタグから読み取られた固有情報に対応する多くの情報をコンピュータから受け取ることができる。
【００１５】
更に、最近では、ＶＣＣＩ（情報処理装置等電波障害自主規制協議会）によって定められた規格を電気製品における制御機器に広く適用することが義務付けられている。
【００１６】
【特許文献１】特開平１−３１０４５１号公報
【特許文献２】特開平２−２２０５９７号公報
【特許文献３】特開２００２−１２４８９１号公報
【特許文献４】特開２００２−３７４１４号公報
【発明の開示】
【発明が解決しようとする課題】
【００１７】
上述したように、保守対象物の保守用情報を記憶するメモリがカード状のＩＣメモリの場合、メモリを紛失、またはカード装着用の挿入口から塵埃または汚水などの流体の進入による故障を発生する恐れがある。一方、上述したＩＣカードによる欠点を解決するＲＦタグを用いる場合、このＲＦタグは、保守対象物の外部と対象物固有情報を授受する機能を有するのみで、対象物内部の情報を取り込む機能を有していない。更に、別の条件として、ＶＣＣＩの規格適用が重要視されていることが挙げられている。
【００１８】
従って、解決しようとする課題は、保守対象物の保守用情報を保守対象物の筐体外部で取得する方法およびシステムにおいて、保守対象物の保守用情報を記憶するメモリの紛失と保守対象物の筐体内部への流体の侵入とを防止することであり、更に保守対象物による電波障害対策を講じることである。
【課題を解決するための手段】
【００１９】
本発明による保守用情報の取得方法は、保守対象とする制御機器の保守用情報を記憶するメモリが紛失せず、保守対象とする制御機器が流体の進入を防ぐために密閉された筐体構造を有する場合でも、外部から内部のメモリに記憶された保守用情報を読取るため、第１のアンテナを有しかつ保守用情報を書き込み記憶するＲＦ（無線）タグを上記メモリとして備え、前記制御機器の外部から読取り器を用いて、所定の時期に、無線電波により、前記ＲＦタグの第１のアンテナを介してこのＲＦタグに記憶された保守用情報を読み取り取得することを主要な特徴とする。
【００２０】
更に、本発明による保守用情報の取得方法は、ＲＦタグと前記制御機器の機能実行処理回路との間の導線による接続を避けるため、前記制御機器が第２のアンテナを備えて前記保守用情報を、無線電波によりこの第２のアンテナを介して前記第１のアンテナに送り、前記ＲＦタグがこの第１のアンテナから受ける前記保守用情報を書き込み記憶することを特徴とする。
【００２１】
また、本発明による保守用情報の取得システムは、制御機器の保守用情報を前記制御機器の内部で記憶すると共に所定の時期に記憶された前記保守用情報を前記制御機器の外部の読取り器により取得するシステムであって、前記制御機器は、第１のアンテナとＩＣメモリとを内蔵し前記第１のアンテナを介して前記ＩＣメモリにデータの書込み読取りが可能なＲＦ（無線）タグと、第２のアンテナと、前記保守用情報を記憶する履歴データメモリと、記憶されている前記保守用情報を所定の時期に前記履歴データメモリから読み取って前記第２のアンテナから前記第１のアンテナに無線電波で送出するＲＦタグ対応送受信部とを備えている。
【００２２】
前記ＲＦタグは、前記第１のアンテナを介して前記第２のアンテナから書込み要求を受けた際、受けた無線電波により誘導電力を発生して駆動し、次いで受ける前記保守用情報を前記ＩＣメモリに書き込み記憶する一方、前記読取り器から読取りの要求を受けた際、受けた無線電波により誘導電力を発生して駆動し、前記ＩＣメモリに記憶されている保守用情報を読み取って前記第１のアンテナを介して前記読取り器に無線電波により送信する送受信制御部を送受信部および制御部として備えており、かつ、前記読取り器は、第３のアンテナと、当該第３のアンテナを用い、無線電波により読取り要求を送出して前記第１のアンテナから前記保守用情報を取得する送受信制御部（送受信部および制御部）とを備えることを特徴としている。
【００２３】
この保守用情報の取得システムは、前記第２のアンテナと前記ＲＦタグとを前記筐体の外面に備えてもよい。
【００２４】
更に、前記制御機器の筐体が無線電波遮蔽構造の、例えば金属で外部への電波障害を抑制する場合、この無線電波遮蔽構造の筐体は、少なくとも前記第１のアンテナ部分で無線電波の授受を可能とする着脱可能な無線電波遮蔽構造蓋を設けることができる。また、筐体が無線電波遮蔽構造で外部への無線電波を遮断する場合、前記ＲＦタグは、前記第１のアンテナを前記無線電波遮蔽構造の筐体外面に備え、前記第２のアンテナとデータを送受する第４のアンテナを前記無線電波遮蔽構造の筐体内部に更に備えることもできる。
【発明の効果】
【００２５】
本発明の保守用情報の取得方法およびその取得システムは、第１のアンテナを有しかつ保守用情報を書き込み記憶するＲＦ（無線）タグを上記メモリとして備え、前記制御機器の外部から読取り器を用いて、所定の時期に、無線電波により、前記ＲＦタグの第１のアンテナを介してこのＲＦタグに記憶された保守用情報を読み取り取得するため、ＲＦタグが密閉された制御機器の筐体に内蔵されるので、対象とする制御機器の保守用情報を記憶するメモリ媒体を紛失することなく、かつ、制御機器へ流体の進入を防ぐことができると共に、保守用情報が機能動作の実行処理の履歴の場合、故障になっても制御機器を分解せずにその状態がメモリから読取れるという利点がある。また、ＲＦタグによるメモリが小型で軽量であるという利点もある。
【００２６】
更に、本発明による保守用情報の取得方法およびその取得システムは、前記制御機器が第２のアンテナを備えて前記保守用情報を、無線電波によりこの第２のアンテナを介して前記第１のアンテナに送り、前記ＲＦタグがこの第１のアンテナから受ける前記保守用情報を書き込み記憶する場合、ＲＦタグと前記制御機器の機能実行処理回路との間の導線による接続がなく、電気的に絶縁されているので、商用電源を用いて稼働する制御機器に落雷があってもＲＦタグのメモリが破壊されることを回避できるという利点がある。
【００２７】
また、筐体が少なくとも前記第１のアンテナ部分で無線電波の授受を可能とする着脱可能な無線電波遮蔽構造蓋を備えているため、制御機器の筐体が例えば金属で外部への電波障害を抑制する場合であっても蓋を外すことによりＲＦタグに記憶された保守用情報を読取ることができる。また、ＲＦタグが前記第１のアンテナを前記筐体の外面に備えられかつ前記第２のアンテナとデータを送受する第４のアンテナを前記筐体の内部に備えているため、筐体が金属で外部への無線電波を遮断する場合であってもＲＦタグに記憶された保守用情報を読取ることができるという利点もある。
【発明を実施するための最良の形態】
【００２８】
保守対象物の保守用情報を保守対象物の筐体外部で取得する方法およびシステムにおいて、保守対象物の保守用情報を記憶するメモリの紛失と保守対象物の筐体内部への流体の侵入とを防止するという目的を、制御機器は、第１のアンテナとＩＣメモリとを内蔵し第１のアンテナを介してＩＣメモリにデータの書込み読取りが可能なＲＦ（無線）タグと、第２のアンテナと、保守用情報を記憶する履歴データメモリと、記憶されている保守用情報を所定の時期に履歴データメモリから読み取って第２のアンテナから第１のアンテナに無線電波で送出するＲＦタグ対応送受信部とを備えることにより実現した。この構成は、更に電気製品としての制御機器が落雷に遭遇しても、保守用情報を記憶するメモリを破壊されることがない。
【００２９】
ＲＦタグは、第１のアンテナを介して第２のアンテナから書込み要求を受けた際、受けた無線電波により誘導電力を発生して駆動し、次いで受ける保守用情報をＩＣメモリに書き込み記憶する一方、読取り器から読取りの要求を受けた際、受けた無線電波により誘導電力を発生して駆動し、ＩＣメモリに記憶されている保守用情報を読み取って第１のアンテナを介して読取り器に無線電波により送出する送受信部を備えている。
【００３０】
読取り器は、第３のアンテナと、第３のアンテナを用い、無線電波により読取り要求を送出して第１のアンテナから保守用情報を取得する送受信部とを備えている。
【００３１】
更に保守対象物による電波障害対策を講じるという目的を、筐体を無線電波遮蔽構造で形成し、第１のアンテナ部分で無線電波の授受を可能とする着脱可能な無線電波遮蔽構造蓋を備えること、または、ＲＦタグが第１のアンテナを無線電波遮蔽構造の筐体外面に備え、第２のアンテナとデータを送受する第４のアンテナを無線電波遮蔽構造の筐体内部に備えることにより、上記機能を損なわずに実現した。
【実施例１】
【００３２】
本発明の実施例１について図１を参照して説明する。
【００３３】
図１は、本発明によるシステムの一実施例における機能ブロック図であって、保守対象物となる制御機器１０が制御機器１０の保守用情報を書込み読取り可能なＲＦ（無線）タグ２０を有し、ＲＦタグ２０に記憶された保守用情報は読取り書込み器３０により書込み読取りが可能である。
【００３４】
制御機器１０はＲＦタグ２０以外に機能実行処理部１１、履歴データメモリ１２、警報表示部１３、およびＲＥタグ対応１４を含むものとし、ＲＥタグ対応１４には送受信部１５およびアンテナ１６が含まれる。
【００３５】
まず、図２を参照して制御機器１０がＲＥタグ２０に保守用情報を書き込ませるため送出するまでの手順を説明する。制御機器１０は、機能実行処理部１１が機能を実行（手順Ｓ１）する際、処理の履歴（ログ）データを履歴データメモリ１２に記録（手順Ｓ２）する。
【００３６】
定期的、所定時期、または所定条件に未到達（手順Ｓ３のＮＯ）の際には、上記手順Ｓ１に戻って、次の機能処理を実行する手順を繰り返す。
【００３７】
上記手順Ｓ３が「ＹＥＳ」で、定期的、所定時期、または所定条件に到達の際には、ＲＥタグ対応１４の送受信部１５はアンテナ１６からＲＦタグ２０を駆動（手順Ｓ４）して受信準備の完了を受付け（手順Ｓ５）の後、履歴データメモリ１２に記憶されている保守用情報をＲＦタグ２０へ無線電波で送出（手順Ｓ６）し、ＲＦタグ２０に書き込ませたのち、上記手順Ｓ１に戻ってこれに続く手順を繰り返す。
【００３８】
上記所定条件が機能処理ごとであれば、上記手順Ｓ３は省略され、機能処理ごとに、ＲＦタグ２０へのいわゆる垂れ流し的の書込みを実行することができる。
【００３９】
ＲＦタグ２０は、アンテナ２１およびＩＣチップ２２を有し、ＩＣチップ２２は送受信部２３、制御部２４およびＩＣメモリ２５を含んでいる。アンテナ２１が制御機器１０のアンテナ１６から無線電波を受けた際、ＲＦタグ２０は、誘導電力を発生し、この誘導電力によりＩＣチップ２２が駆動される。送受信部２３は、ＲＦタグ対応１４の送受信部１５から書込み要求を受けて、送受信部２３が制御部２４の制御によりアンテナ１６を介してアンテナ２１から受けた保守用情報をＩＣメモリ２３に書き込む。また、ＲＦタグ２０は、アンテナ２１は読取り書込み器３０から無線電波を受けて誘導電力を発生し、この誘導電力によりＩＣチップ２２が駆動される。送受信部２３は、読取り書込み器３０の読取り要求に対して、送受信部２３が制御部２４の制御によりメモリ２５に記憶された保守用情報を、アンテナ２１を介して読取り書込み器３０へ送出する。
【００４０】
上述した送受信部２３は、アンテナ２１から受けた要求に基づいて書込みまたは読取りできるので、ＲＦタグ対応１４の送受信部１５または読取り書込み器３０の何れからも、書込み要求および読取り要求それぞれに対して応じることができる。
【００４１】
また、読取り書込み器３０はＲＦタグ２０と無線電波の授受ができるものであれば汎用の携帯型のものでよく、従来同様、履歴情報をＲＦタグ２０に対象機器の外部から書き込むことが可能である。更に、図１に示される読取り書込み器３０は、上述したアンテナ１６からアンテナ２１に送られる無線電波を、アンテナ３１を介して送受信部３２から制御部３３で傍受してメモリ３４に書き込むことができる。
【００４２】
次に、図３を参照してＲＦタグ２０の主要手順について説明する。
【００４３】
ＲＦタグ２０では、送受信部２３が、アンテナ２１を介した駆動信号の受付け（手順Ｓ１１）の場合、その無線電波により誘導電力を発生して制御部２４を駆動する。制御部２４は、送受信部２３を介してＲＥタグ対応１４または読取り書込み器３０から処理要求を受付け（手順Ｓ１２）する。ＲＥタグ対応１４からの書込み処理要求は機能実行の履歴データである。読取り書込み器３０からの読取り処理要求は上述した保守用情報であり、また書込み処理要求は例えば制御機器１０に製造段階で書き込まれる機器固有情報である。
【００４４】
上記手順Ｓ１２が「ＹＥＳ」で送受信部２３を介して書込み処理要求を受付けの場合、制御部２４は、ＩＣメモリ２５の書込み準備を完了してその通知（手順Ｓ１３）を行う。この結果、制御部２４は、書込みデータとして保守用情報または機器固有情報を受け取るので、該当するメモリ領域の余裕あり（手順Ｓ１４のＹＥＳ）の場合には受けたデータを書き込み保存（手順Ｓ１５）する一方、上記手順Ｓ１４が「ＮＯ」で余裕のない場合には受けたデータを上書き保存（手順Ｓ１６）する。
【００４５】
上記手順Ｓ１２が「ＮＯ」で書込み処理でない場合、所定の読取り処理（手順Ｓ２０）が実行される。この処理も従来同様、ＲＦタグにおけるＩＣメモリからの通常の読取り手順であり、詳細は省略する。
【００４６】
上述したように、制御機器の履歴データを保守用情報としてＲＦタグに記憶でき、ＲＦタグは、小型軽量で、制御機器の筐体に内蔵または固着できるので、ＲＦタグに記憶された保守用情報を紛失することがなく、また筐体に流体、例えば塵埃または汚水が進入することによる故障もなく、ＲＦタグに記憶された保守用情報を無線電波により読取り器が読取ることができる。従って、例えば、人体に埋め込まれる人体機能の補助機器もしくは人体情報の収集機器、または潜水機器のように履歴データを得るための制御機器に応用することができる。
【００４７】
上記構成では、ＲＦタグのＩＣメモリに保守用情報を記憶させるので、制御機器が故障して電源が投入できない場合でも、分解することもなく、記憶する保守用情報を読取ることができるというＲＦタグの特徴を活用できる。
【００４８】
更に、制御機器の履歴データを、導線でなくアンテナを介して無線電波でＲＦタグに書込むので、例えば商用電源を接続する制御機器が落雷による被害を受けてもＲＦタグの破損はなく、ＲＦタグに記憶されたデータを確保し続けることができる効果がある。
【実施例２】
【００４９】
本発明の実施例２について図４を参照して説明する。
【００５０】
図４の実施例２は、図１のＲＦタグ対応１４の代わりに読取り書込み（以後、Ｒ／Ｗと略称する）部１４Ａが導線により電気的にＲＦタグ２０Ａの制御部２４Ａと接続した機能ブロック構成を示している。
【００５１】
このＲＦタグ２０ＡはＲ／Ｗ部１４Ａと導線により直結しているので、図２の手順では手順Ｓ３が省略できると共に、図３での保守用情報書込み処理では、手順Ｓ１１および手順Ｓ１２が省略される。従って、その手順は、図２の手順Ｓ４から図３の手順Ｓ１３に続き、機能処理にしたがって順次、垂れ流し的に保守用情報を書込みすることができる。
【００５２】
上述したように、実施例２は、上記実施例１に対して落雷の被害が避けられないことを除き、上記実施例１と同様の利点を有する。
【実施例３】
【００５３】
本発明の実施例３について図５（Ａ）を参照して説明する。
【００５４】
実施例３は、実施例２を示す図４の機能ブロック構成で、Ｒ／Ｗ部１４Ａと共にＲ／Ｗ部１４Ａと導線で接続されるＲＦタグ２０Ａが制御機器１０Ａの筐体内部に搭載されている場合である。従って、上記実施例２と同一の利点を有している。
【００５５】
しかし、この実施例３では、筐体が金属性構造の場合、読取り書込み器３０での読み書きができない欠点を有する。
【実施例４】
【００５６】
本発明の実施例４について図５（Ｂ）を参照して説明する。実施例４は筐体がＶＣＣＩ規格を満たすための金属性構造を有する場合に適合している。
【００５７】
実施例４は、図４の機能ブロック構成で、Ｒ／Ｗ部１４Ａと共にＲＦタグ２０ＡのＩＣチップ２２Ａが制御機器１０ＡＭの筐体内部に搭載されており、アンテナ２１は内部を密封する筐体と絶縁された導線で内部と接続され筐体外部に貼り付けられている。Ｒ／Ｗ部１４Ａは所定の条件でのみＲＦタグ２０ＡのＩＣチップ２２Ａとアクセスし、しかも微電力のため、ＶＣＣＩ規格を満たすことができる。従って、上記実施例２と同一の利点を有している。また、ＲＦタグ２０Ａのアンテナ２１は薄型に形成されるので、筐体外面に浮き上がることがなく、例えば上側から筐体表面と共に塗装を施すことができる。
【実施例５】
【００５８】
本発明の実施例５について図５（Ｃ）を参照して説明する。実施例５は筐体がＶＣＣＩ規格を満たすための金属性構造を有する場合に適合している。
【００５９】
実施例５は、図４の機能ブロック構成で、薄型軽量なＲＦタグ２０Ａ全体が筐体外部に貼り付けられ、内部を密封する筐体と絶縁された導線で内部と接続されている。Ｒ／Ｗ部１４Ａは所定の条件でのみＲＦタグ２０ＡのＩＣチップ２２Ａとアクセスし、しかも微電力のため、ＶＣＣＩ規格を満たすことができる。従って、上記実施例２と同一の利点を有している。また、ＲＦタグ２０Ａは薄型に形成できるので、実施例４同様に、筐体外面に浮き上がることがなく、例えば上側から筐体表面と共に塗装を施すことができる。
【実施例６】
【００６０】
本発明の実施例６について図６（Ａ）を参照して説明する。
【００６１】
実施例６は、実施例１を示す図１の機能ブロック構成で、ＲＦタグ２０が制御機器１０の筐体内部に搭載されている場合である。従って、上記実施例１と同一の利点を有している。
【００６２】
しかし、この実施例６では、筐体が金属性構造の場合、読取り書込み器３０での読み書きができない欠点を有する。
【実施例７】
【００６３】
本発明の実施例７について図６（Ｂ）を参照して説明する。実施例７は筐体がＶＣＣＩ規格を満たすための金属性構造を有する場合に適合している。
【００６４】
図示されるように、制御機器１０ＭＣの筐体は金属性構造を有するが、ＲＦタグ２０のアンテナ２１の部分は、無線電波を透過する例えばモールド構造の窓１７を有している。この窓１７に適合して着脱可能な金属製蓋１８が、読取り器によりＲＦタグ２０から保守用情報を読み取る場合以外、窓１７を塞ぐ。従って、上記実施例１と同一の利点を発揮することができる。
【実施例８】
【００６５】
本発明の実施例８について図６（Ｃ）を参照して説明する。実施例８は筐体がＶＣＣＩ規格を満たすための金属性構造を有する場合に適合している。
【００６６】
図示されるように、ＲＦタグ２０Ｍは二つのアンテナ２１Ａ，２１Ｂを有しており、アンテナ２１Ａは制御機器１０Ｍの金属製筐体の外部に貼り付けられ、内部を密封する筐体と絶縁された導線で内部と接続されている。他方のアンテナ２１Ｂは金属製筐体の内部に設けられ、制御機器側のアンテナ１６と無線電波の授受を行なう。従って、上記実施例１と同一の利点を発揮することは勿論である。また、ＲＦタグ２０Ｍのアンテナ２１Ａは薄型に形成されるので、筐体外面に浮き上がることがなく、例えば上側から筐体表面と共に塗装を施すことができる。
【実施例９】
【００６７】
本発明の実施例９について図６（Ｄ）を参照して説明する。実施例９は筐体がＶＣＣＩ規格を満たすための金属性構造を有する場合に適合している。
【００６８】
実施例９は、図１の機能ブロック構成で、薄型軽量なＲＦタグ２０全体が筐体外部に貼り付けられる。更に、制御機器１０ＭＯ側のアンテナ１６も筐体外部に貼り付けられ、内部を密封する筐体と絶縁された導線で内部と接続されている。ＲＦタグ２０のアンテナ２１とアンテナ１６とは電気的に絶縁されており、無線電波の授受ができる。従って、上記実施例１と同一の利点を有している。また、ＲＦタグ２０およびアンテナ１６は薄型に形成できるので、実施例５同様に、筐体外面に浮き上がることがなく、例えば上側から筐体表面と共に塗装を施すことができる。
【実施例１０】
【００６９】
本発明の実施例１０について図７を参照して説明する。図７は、実施例６として図６（Ａ）に示された構造を有する携帯端末における一実施例を模式的に示す分解斜視図である。
【００７０】
実施例１０では、通信用アンテナ４１を支持するモールド筐体４２にＲＦタグ４３が貼り付けられている。このモールド筐体４２の内部に、携帯端末機器側のＲＦタグ書込み用アンテナ４４を印刷したプリント基板４５が収納される。この結果、ＲＦタグ４３のアンテナとＲＦタグ書込み用アンテナ４４とが対向して配置される。プリント基板４５はフラットプリントケーブル４６によりＬＣＤ（液晶表示）パネル４７と接続する。表面のモールド筐体４８はＬＣＤパネル４７を表面が見えるようにして裏面側からはめ込み、裏面側を構成するモールド筐体４２の表面に固定される。
【産業上の利用可能性】
【００７１】
上述したように、保守用情報の取得に、無線電波によりデータの授受を行なうＲＦタグを採用しているので、密閉筐体内部に収納された制御機器での実動処理履歴データを含む保守用情報のみならず、修理データなどの保守用情報を保守対象物外部から、容易に書込み保存し、従来同様容易に読み出すことができる用途に適用できる。更に、制御機器の電気回路側にアンテナを設けて電気的に絶縁されたＲＦタグと無線電波でデータを授受する場合、商用電源を接続する大型電気機器、または通信アンテナを有する小型の携帯端末機器などのように落雷の危険性のある機器全般に適用できる。更に、ＲＦタグを駆動する無線電波を受けた際のみ稼動するＲＦタグを用いるので、無線電波遮蔽構造の筐体が不可欠なＶＣＣＩ規格に対応する用途にも適用できる。
【図面の簡単な説明】
【００７２】
【図１】本発明によるＲＦタグによる保守用情報の取得システムにおける機能ブロックの実施の一形態を示した図である。（実施例１）
【図２】図１により履歴データを書き込む際の機器側における手順の実施の一形態を示すフローチャートである。
【図３】図１によりＲＦタグにおける主要動作手順の実施の一形態を示すフローチャートである。
【図４】本発明によるＲＦタグによる保守用情報の取得システムにおける機能ブロックの図１とは別の実施の一形態を示した図である。（実施例２）
【図５】図４のブロック構成における制御機器筐体とＲＦタグとの位置関係を示した図５（Ａ）、図５（Ｂ）、および図５（Ｃ）である。（実施例３、４、５）
【図６】図１のブロック構成に基づく制御機器筐体とＲＦタグとの位置関係を示した図６（Ａ）、図６（Ｂ）、図６（Ｃ）、および図６（Ｄ）である。（実施例６、７、８、９）
【図７】図６（Ａ）による構造を有する携帯端末の実施の一形態を模式的に示す分解斜視図である。（実施例１０）
【図８】従来の履歴データのような保守用情報の取得システムにおける機能ブロックの一例を示した図である。（従来例１）
【図９】従来のＲＦタグを用いた保守用情報の取得システムにおける機能ブロックの一例を示した図である。（従来例２）
【符号の説明】
【００７３】
１０、１０Ａ、１０ＡＭ、１０Ｍ、１０ＭＣ、１０ＭＯ    制御機器（保守対象物）
１１、１１Ａ    機能実行処理部
１２    履歴データメモリ
１３    警報表示部
１４    ＲＦタグ対応
１４Ａ    読取り書込み（Ｒ／Ｗ）部
１５    送受信部（ＲＦタグ対応）
１６    アンテナ（ＲＦタグ対応）
２０、２０Ａ、２０Ｍ、４３    ＲＦタグ
２１、２１Ａ、２１Ｂ    アンテナ
２２、２２Ａ    ＩＣチップ
２３    送受信部
２４、２４Ａ    制御部
２５    ＩＣメモリ
３０    読取り書込み器
４１    通信アンテナ
４２、４８    モールド筐体
４４    ＲＦタグ書込み用アンテナ
４５    プリント基板
４６    フラットプリントケーブル
４７    ＬＣＤ（液晶表示）パネル
【図１】
2005215788.tif 000003
【図２】
2005215788.tif 000004
【図３】
2005215788.tif 000005
【図４】
2005215788.tif 000006
【図５】
2005215788.tif 000007
【図６】
2005215788.tif 000008
【図７】
2005215788.tif 000009
【図８】
2005215788.tif 000010
【図９】
2005215788.tif 000011